(57)【要約】      （修正有）【課題】シート材に形成された選択ボタンを間違いなく選択押下できるようにする。【解決手段】シート状の情報収集装置は、使用者が押圧可能な複数の選択ボタンと、使用者の識別情報と使用者が押圧した選択ボタンの押圧情報とを記憶する記憶部２１と、記憶部に記憶された少なくとも一部の情報を外部に出力する出力インタフェース部２３と、を備え、複数の選択ボタンは、使用者が順次に押圧する複数の選択ボタン群に分かれ、複数の選択ボタン群のそれぞれは、少なくとも一つの選択ボタンを含み、使用者が次に押圧動作を行うべき選択ボタン群に関する情報を使用者に提示する入力案内部２２を備える。【選択図】図４
2014229277.tif 000002
【特許請求の範囲】
【請求項１】
使用者が押圧可能な複数の選択ボタンと、
使用者の識別情報と使用者が押圧した前記選択ボタンの押圧情報とを記憶する記憶部と、
前記記憶部に記憶された少なくとも一部の情報を外部に出力する出力インタフェース部と、を備える情報収集装置であって、
前記複数の選択ボタンは、使用者が順次に押圧する複数の選択ボタン群に分かれており、
前記複数の選択ボタン群のそれぞれは、少なくとも一つの前記選択ボタンを含んでおり、
使用者が次に押圧動作を行うべき前記選択ボタン群に関する情報を使用者に提示する入力案内部を備えることを特徴とするシート状の情報収集装置。
【請求項２】
前記入力案内部は、使用者の視覚、聴覚および触覚の少なくとも一つを利用して、使用者が次に押圧動作を行うべき前記選択ボタン群に関する情報を使用者に提示することを特徴とする請求項１に記載の情報収集装置。
【請求項３】
前記複数の選択ボタン群のそれぞれごとに設けられる複数の発光部を備え、
前記入力案内部は、使用者が次に押圧動作を行うべき前記選択ボタン群に対応する前記発光部の発光形態を他のすべての前記発光部の発光形態と相違させることを特徴とする請求項２に記載の情報収集装置。
【請求項４】
前記入力案内部は、使用者が次に押圧動作を行うべき前記選択ボタン群に対応する前記発光部を所定時間点灯させることを特徴とする請求項３に記載の情報収集装置。
【請求項５】
前記入力案内部は、使用者が次に押圧動作を行うべき前記選択ボタン群に対応する前記発光部の発光色を他のすべての前記発光部の発光色と相違させることを特徴とする請求項３に記載の情報収集装置。
【請求項６】
前記入力案内部は、使用者が次に押圧動作を行うべき前記選択ボタン群に対応する前記発光部を所定時間点滅させることを特徴とする請求項３に記載の情報収集装置。
【請求項７】
前記複数の選択ボタンおよび前記複数の選択ボタン群のそれぞれを説明する点字情報を、対応する選択ボタンまたは選択ボタン群に対応づけてボタン操作面上に配置するシート材と、
前記使用者が次に押圧動作を行うべき前記選択ボタン群に関する情報を音声出力する音声出力部と、を備え、
前記入力案内部は、使用者がいずれかの前記選択ボタンを選択すると、次に押圧動作を行うべき前記選択ボタン群に関する情報を前記音声出力部に音声出力させることを特徴とする請求項２に記載の情報収集装置。
【請求項８】
前記入力案内部による提示に従って使用者が押圧した前記選択ボタンに関する情報を報知する入力確認部を備えることを特徴とする請求項１乃至７のいずれかに記載の情報収集装置。
【請求項９】
前記入力確認部は、使用者が押圧した前記選択ボタンに関する情報を音声にて報知することを特徴とする請求項８に記載の情報収集装置。
【請求項１０】
前記入力確認部は、使用者が押圧した前記選択ボタンに関する情報を、前記選択ボタンまたは前記選択ボタンが属する前記選択ボタン群に対応して設けられる発光部を所定の発光形態で発光させて報知することを特徴とする請求項８に記載の情報収集装置。
【請求項１１】
前記記憶部に記憶された少なくとも一部の情報を前記出力インタフェース部を介して外部通信機器に伝送可能な通信モジュールを備えることを特徴とする請求項１乃至１０のいずれかに記載の情報収集装置。
【請求項１２】
前記複数の選択ボタンの押圧動作を開始する前に、使用者によって押圧されるスタートボタンと、
使用者が前記スタートボタンを押圧したときに、所定時間だけ点灯するスタートボタン発光部と、
スタートボタン発光部が点灯している間に使用者が前記複数の選択ボタンの押圧動作を行わない場合は、使用者が再度前記スタートボタンを押圧しない限り、前記複数の選択ボタンの押圧情報が前記記憶部に記憶されないように制御する記憶制御部と、を備えることを特徴とする請求項１乃至１１のいずれかに記載の情報収集装置。
【発明の詳細な説明】
【技術分野】
【０００１】
本発明は、ボタンの押圧情報を記憶して、記憶された情報を外部に伝送するインタフェース機能を備えた情報収集装置に関する。
【背景技術】
【０００２】
紙などの折り畳み可能なシート材に通信機能を内蔵させて、ある限られた期間だけ外部との無線通信を行い、その期間が終了すると、廃棄することを前提した装置が提案されている（特許文献１参照）。
【０００３】
この特許文献１に開示された使い捨て式自己充足型測定装置は、センサを含むデータ入力・試料採取部分とデータ取得部分とを、印字可能で折り畳み可能なシート材で密封したものである。この装置では、シート材として、紙などの安価で廃棄が容易な材料を用いることを想定している。
【０００４】
また、特許文献１には、シート材に、音声要素と視覚表示器等の付加的手段を設けてもよいことが記載されている。
【０００５】
さらに、特許文献２には、患者が自分自身の健康状態を記録して表示可能な携帯装置が開示されている。
【先行技術文献】
【特許文献】
【０００６】
【特許文献１】特許５０７４１９３号公報
【特許文献２】特許３２５０８１０号公報
【発明の概要】
【発明が解決しようとする課題】
【０００７】
特許文献１では、紙等のシート材に、使用者に選択押下させるための複数のボタンを配置しているが、シート材で形成されたボタンは、押下しても、押下したという感覚がほとんど得られないため、ボタンの押下が正しく認識されたかどうかがわからず不安になるという問題がある。
【０００８】
また、シート材に複数の選択ボタンが設けられていて、これら選択ボタンを順に選択押下する必要がある場合、使用者は、どの選択ボタンまで選択押下を行ったのかがわからなくなることもある。
【０００９】
特許文献１は、視覚表示器を設けることを示唆しているが、この視覚表示器を何の目的にどのように使用するのかについては、何ら明らかにされていない。
【００１０】
また、特許文献２には、入力された値を表示可能にする例が開示されているが、特許文献２は物理的なボタンを備えた携帯装置を念頭に置いており、シート材にボタンを設けた場合の上述した問題とその解決策については何ら開示も示唆もない。
【００１１】
本発明は、上述した課題に鑑みてなされたものであり、シート材に形成された選択ボタンを間違いなく選択押下できるようにした情報収集装置を提供するものである。
【課題を解決するための手段】
【００１２】
上記の課題を解決するために、本発明の一態様では、使用者が押圧可能な複数の選択ボタンと、
使用者の識別情報と使用者が押圧した前記選択ボタンの押圧情報とを記憶する記憶部と、
前記記憶部に記憶された少なくとも一部の情報を外部に出力する出力インタフェース部と、を備える情報収集装置であって、
前記複数の選択ボタンは、使用者が順次に押圧する複数の選択ボタン群に分かれており、
前記複数の選択ボタン群のそれぞれは、少なくとも一つの前記選択ボタンを含んでおり、
使用者が次に押圧動作を行うべき前記選択ボタン群に関する情報を使用者に提示する入力案内部を備えることを特徴とするシート状の情報収集装置が提供される。
【００１３】
前記入力案内部は、使用者の視覚、聴覚および触覚の少なくとも一つを利用して、使用者が次に押圧動作を行うべき前記選択ボタン群に関する情報を使用者に提示してもよい。
【００１４】
前記複数の選択ボタン群のそれぞれごとに設けられる複数の発光部を備え、
前記入力案内部は、使用者が次に押圧動作を行うべき前記選択ボタン群に対応する前記発光部の発光形態を他のすべての前記発光部の発光形態と相違させてもよい。
【００１５】
前記入力案内部は、使用者が次に押圧動作を行うべき前記選択ボタン群に対応する前記発光部を所定時間点灯させてもよい。
【００１６】
前記入力案内部は、使用者が次に押圧動作を行うべき前記選択ボタン群に対応する前記発光部の発光色を他のすべての前記発光部の発光色と相違させてもよい。
【００１７】
前記入力案内部は、使用者が次に押圧動作を行うべき前記選択ボタン群に対応する前記発光部を所定時間点滅させてもよい。
【００１８】
前記複数の選択ボタンおよび前記複数の選択ボタン群のそれぞれを説明する点字情報を、対応する選択ボタンまたは選択ボタン群に対応づけてボタン操作面上に配置するシート材と、
前記使用者が次に押圧動作を行うべき前記選択ボタン群に関する情報を音声出力する音声出力部と、を備え、
前記入力案内部は、使用者がいずれかの前記選択ボタンを選択すると、次に押圧動作を行うべき前記選択ボタン群に関する情報を前記音声出力部に音声出力させてもよい。
【００１９】
前記入力案内部による提示に従って使用者が押圧した前記選択ボタンに関する情報を報知する入力確認部を備えてもよい。
【００２０】
前記入力確認部は、使用者が押圧した前記選択ボタンに関する情報を音声にて報知してもよい。
【００２１】
前記入力確認部は、使用者が押圧した前記選択ボタンに関する情報を、前記選択ボタンまたは前記選択ボタンが属する前記選択ボタン群に対応して設けられる発光部を所定の発光形態で発光させて報知してもよい。
【００２２】
前記記憶部に記憶された少なくとも一部の情報を前記出力インタフェース部を介して外部通信機器に伝送可能な通信モジュールを備えてもよい。
【００２３】
前記複数の選択ボタンの押圧動作を開始する前に、使用者によって押圧されるスタートボタンと、
使用者が前記スタートボタンを押圧したときに、所定時間だけ点灯するスタートボタン発光部と、
スタートボタン発光部が点灯している間に使用者が前記複数の選択ボタンの押圧動作を行わない場合は、使用者が再度前記スタートボタンを押圧しない限り、前記複数の選択ボタンの押圧情報が前記記憶部に記憶されないように制御する記憶制御部と、を備えてもよい。
【発明の効果】
【００２４】
本発明によれば、シート材に形成された選択ボタンを間違いなく選択押下することができる。
【図面の簡単な説明】
【００２５】
【図１】本発明の第１の実施形態に係る情報収集装置１の外観図。
【図２】情報入力面２の一例を示す図。
【図３】薄型モジュール部品１０の内部構成の一例を示すブロック図。
【図４】ＡＳＩＣ１２の内部構成の一例を示すブロック図。
【図５】治療経過記録カードの材料であるシート材３０を展開した状態を示す図。
【図６】制御部２２が行う発光制御処理の一例を示すフローチャート。
【図７】第２の実施形態に係る情報入力面２を示す図。
【図８】第３の実施形態に係る情報入力面２を示す図。
【図９】第４の実施形態に係る情報入力面２を示す図。
【発明を実施するための形態】
【００２６】
以下、本発明の実施の形態について、詳細に説明する。
【００２７】
（第１の実施形態）
図１は本発明の第１の実施形態に係る情報収集装置１の外観図である。図１の情報収集装置１は、紙や樹脂からなるシート状の治療経過カード１であり、折り畳み式になっていて、展開すると図２のような情報入力面２が現れる。この情報入力面２は、使用者が自らの指で選択ボタンを選択押下する面である。
【００２８】
図１の治療経過記録カード１は、患者が病院や薬局等の医療機関等から直接または間接に受け取るものであり、例えば特定の病気に特化したものである。すなわち、各病気ごとに、別種類の治療経過記録カード１が設けられる。あるいは、複数の病気に共通して用いることが可能な治療経過記録カード１が設けられてもよい。
【００２９】
図１の治療経過記録カード１は、患者が医師や薬剤師の指導の下で、治療を行っている最中の治療経過を患者のボタン操作により逐次記録する機能と、記録した情報を外部に出力するインタフェース機能とを備えている。付加的に、医療機関等のホストコンピュータに無線で伝送する機能を設けてもよい。また、この治療経過記録カード１は、所定期間が経過すると、廃棄することを前提としており、部材コストをできるだけ抑えるために、紙や樹脂等のシート材を用いて作製されている。
【００３０】
図１の治療経過記録カード１の情報入力面２は、例えば図２に示すように、第１入力面２ａ、第２入力面２ｂおよび第３入力面２ｃからなる３面構成であり、各面の境界には折り目２ｄ，２ｅが付けられ、これらの折り目２ｄ，２ｅにて折り畳むことができるようになっている。図１は情報入力面２を折り目２ｄ，２ｅで折り畳んだ状態を示している。
【００３１】
第１入力面２ａには、例えばスタートボタン３と取消ボタン４が設けられている。第２入力面２ｂには、例えば特定の病気の治療効果を判断するための基本項目に関連する項目１〜５用の選択ボタン５ａ，５ｂ，５ｃ，５ｄ，５ｅが設けられている。このうち、項目１用の選択ボタン５ａは、例えば、３種類の状態のうち１つを選択押下するための３つのボタンで構成されている。項目２〜５用の選択ボタン５ｂ〜５ｅは、それぞれ１つずつボタンからなる。
【００３２】
第３入力面２ｃには、特定の病気に罹った患者の各種症状を入力するための選択ボタンが配置されている。より具体的には、症状１〜４用の選択ボタン６ａ〜６ｄが一つずつ設けられている。患者は、症状１〜４のうち、該当する症状がある場合に、対応する選択ボタンを押下する。この他、第３入力面２ｃには、特定の病気の治り具合を判断するための所定の検査値用の選択ボタン６ｅが設けられている。この選択ボタン６ｅは、例えば４つのボタンからなり、患者は自分の検査値に対応する選択ボタンを押下する。
【００３３】
なお、ボタン操作面２を構成する第１入力面２ａ、第２入力面２ｂおよび第３入力面２ｃ内に設けられる選択ボタン６ａ〜６ｅの種類、数および配置は任意であり、病気ごとに異なったものになりうる。以下では、情報入力面２に設けられているすべてのボタンを総称して選択ボタンと呼ぶ。
【００３４】
患者は、治療経過記録カード１を初めて使用するときに、スタートボタン３を押圧する。その後、患者は、予め医療機関等から指示されたタイミングで、該当する選択ボタンを押下する。患者が操作を誤って、異なる選択ボタンを押下してしまった場合は、その直後に取消ボタン４を押下することで、その直前の選択ボタンの操作を取り消すことができる。
【００３５】
患者が押圧したすべてのボタンの情報は、治療経過記録カード１内に内蔵された記憶部に自動的に記憶される仕組みになっている。
【００３６】
図１の治療経過記録カード１の情報入力面２には、患者が各選択ボタンを選択押下する際の入力案内用に複数の発光部Ｌ１〜Ｌ４が設けられている。より具体的には、スタートボタン３を選択押下したときに所定時間点灯する発光部（スタートボタン発光部）Ｌ１と、患者がスタートボタン３を選択押下した直後に点灯する発光部Ｌ２と、患者が基本項目に関する選択ボタンの選択押下を完了した直後に点灯する発光部Ｌ３と、患者が症状に関する選択ボタンの選択押下を完了した直後に点灯する発光部Ｌ４とが情報入力面２に設けられている。
【００３７】
発光部Ｌ１は、スタートボタン３の近傍に配置されている。患者は、スタートボタン３を選択押下してから所定時間が経過するまでの間に、基本項目、症状および検査値用のすべての選択ボタンの選択押下を完了しなければならない。そこで、本実施形態では、これらの選択ボタンの選択押下が許容されている時間内は発光部Ｌ１を点灯するようにしている。仮に、患者が発光部Ｌ１が消灯している間に他の選択ボタンの選択押下を行った場合は、その選択押下情報は記憶部には記憶されない。よって、患者は、発光部Ｌ１が点灯していることを確認しながら、他の選択ボタンの選択押下を行うようにすれば、予め決められた時間内にすべての選択ボタンの選択押下を行ったか否かを視覚的に把握できる。
【００３８】
発光部Ｌ２は、基本項目を選択押下する第２入力面２ｂに設けられているため、発光部Ｌ２が点灯すると、患者は、基本項目に関する各選択ボタンの選択押下を行えばよいことを認識できる。この発光部Ｌ２は患者が基本項目内のすべての選択ボタンの選択押下を行うと、自動的に消灯し、代わりに、発光部Ｌ３が点灯する。
【００３９】
なお、患者が基本項目内のすべての選択ボタンの選択押下を行ったかどうかを自動的に確認できない場合は、発光部Ｌ２の発光を開始してから所定時間が経過すると、自動的に発光部Ｌ２を消灯して、代わりに発光部Ｌ３を発光させてもよい。
【００４０】
発光部Ｌ３は、症状を選択押下する第３入力面２ｃに設けられているため、発光部Ｌ３が点灯すると、患者は、症状に関する各選択ボタンの選択押下を行えばよいことを認識できる。この発光部Ｌ３は患者が症状に関するすべての選択ボタンの選択押下を行うと、自動的に消灯して、代わりに発光部Ｌ４が点灯する。患者が症状に関するすべての選択ボタンの選択押下を行ったかどうかを自動的に確認できない場合は、発光部Ｌ３の発光を開始してから所定時間が経過すると、自動的に発光部Ｌ３を消灯して、発光部Ｌ４を点灯させてもよい。
【００４１】
発光部Ｌ４は、検査値を選択押下する第３入力面２ｃに設けられているため、発光部Ｌ４が点灯すると、患者は、検査値に対応するいずれかの選択ボタンの選択押下を行えばよいことを認識できる。この発光部Ｌ４は患者が検査値に関するすべての選択ボタンの選択押下を行うと、自動的に消灯する。患者が検査値に関するいずれかの選択ボタンの選択押下を行ったかどうかを自動的に確認できない場合は、発光部Ｌ４の発光を開始してから所定時間が経過すると、自動的に発光部Ｌ４を消灯してもよい。
【００４２】
このように、本実施形態では、すべての選択ボタンを機能別に複数の選択ボタン群に分類して、各選択ボタン群ごとに発光部を設け、患者が次に選択押下を行うべき発光部を順に発光させるようにしている。これにより、患者は、次にどの選択ボタン群の選択押下を行えばよいのかを的確に判断できるようになり、患者が誤った選択ボタンを押下するおそれを防止できる。
【００４３】
図２の情報入力面２には、基本項目、症状、および検査値のそれぞれに対して、一つずつ発光部が設けられており、各選択ボタンごとに発光部を設けているわけではない。よって、選択ボタンが正しく押下されたかどうかを発光部により確認することはできない。ただし、各選択ボタンが正しく押下されて、その押下情報が記憶部に記憶された場合には、ビープ音等の音声をスピーカから出力するようにしてもよい。あるいは、基本項目内のいずれかの選択ボタンが正しく押下されて、その押下情報が記憶部に記憶された場合は、所定時間だけ発光部Ｌ２の発光形態を変化させてもよい。より具体的には、所定時間だけ発光部Ｌ２を点滅させたり、発光部Ｌ２の発光色を変化させてもよい。同様に、症状や検査値に関連する選択ボタンが正しく押下されて、その押下情報が記憶部に記憶された場合も、所定時間だけ発光部Ｌ３やＬ４の発光形態を変えてもよい。
【００４４】
図１の治療経過記録カード１は、上述したように、紙や樹脂等からなるシート材を折り畳んで作製される。シート材を折り畳むことで、上述した情報入力面２が表面に現れるとともに、その裏側には、後述するように回路パターン面が設けられている。回路パターン面には、各選択ボタンの接点に接続される導電パターンが形成されており、また、薄型モジュール部品が実装されている。
【００４５】
図３は薄型モジュール部品１０の内部構成の一例を示すブロック図である。図３の薄型モジュール部品１０は、紙厚よりも薄い薄膜状のフィルム基板１１と、その上に実装されたＡＳＩＣ（Application Specific Integrated Circuit）１２と、水晶振動子１３と、ボタン電池１４と、スピーカ１５と、フィルム基板１１の長辺に沿って形成される複数の端子１６と、フィルム基板１１の外縁部に沿って形成されるアンテナパターン１７とを有する。
【００４６】
図３は薄型モジュール部品１０の内部構成を機能化したブロック構成を示しており、実際の各回路部品やパターンの配置やサイズ、形状、個数は任意に変更可能である。
【００４７】
図４はＡＳＩＣ１２の内部構成の一例を示すブロック図である。図４のＡＳＩＣ１２は、患者が押圧したスタートボタン３、取消ボタン４、および各選択ボタンの情報を時刻情報とともに時系列で記憶する記憶部２１と、記憶部２１に押圧情報を記憶する制御を行う制御部２２と、記憶部２１に記憶された情報の少なくとも一部を外部に取り出すためのインタフェース部２３とを有する。
【００４８】
制御部２２は、図２の発光部Ｌ１〜Ｌ４の発光制御を行う。具体的には、制御部２２は、発光部Ｌ１〜Ｌ４の発光形態を随時変化させて、患者が次に押圧動作を行うべき選択ボタンに関する情報を使用者に提示する入力案内部として機能する。本実施形態に係る制御部２２は、主に患者の視覚を利用して入力案内を行うが、後述するように、制御部２２は、患者の視覚、聴覚および触覚の少なくとも一つを利用して、患者が次に押圧動作を行うべき選択ボタンに関する情報を患者に提示する。
【００４９】
記憶部２１は、制御部２２の制御に基づいて、患者が押圧したボタンを特定する情報と、そのボタンが押圧された時刻情報とを組にして記憶する。
【００５０】
制御部２２の機能が低い場合は、記憶部２１にいったん記憶した情報を消去したり、上書きしたりすることができない可能性が高い。そこで、取消ボタン４が押されると、制御部２２はその直前に記憶部２１に記憶した情報を消去するのではなく、その情報が誤りである旨の情報を追加で記憶する。これにより、治療経過記録カードの情報を医療機関等のホストコンピュータで読み出したときには、記憶された各情報ごとに、その情報が正しいかどうかを簡易かつ正確に判別できる。
【００５１】
一方、制御部２２の機能が高い場合は、記憶部２１にいったん記憶した情報を消去したり、上書きすることもできる可能性が高い。そこで、取消ボタン４が押されると、制御部２２はその直前に記憶部２１に記憶した情報を直接消去する。よって、記憶部２１内に誤った情報を記憶し続けなくて済み、記憶部２１内の記憶容量を有効活用できるとともに、ホストコンピュータ側で、読み出した情報が正しいかどうかを判断しなくて済み、読み出し処理を高速化できる。
【００５２】
このような取消ボタン４を設けることで、その直前に押圧した選択ボタンの情報を取り消すことができ、患者は、何度でも、ボタン操作をやり直すことができ、間違いが許されないという精神的な負担から解放される。
【００５３】
本実施形態に係る治療経過記録カード１に通信機能を内蔵して、例えば非接触で、記憶部２１に記憶された情報を外部機器に伝送できるようにしてもよい。この場合、ＡＳＩＣ１２の内部に不図示の無線通信部を設ければよい。無線通信部は、ホストコンピュータとの間で、いわゆるＮＦＣ（Near Field Communication、近接無線通信）やBluetooth（登録商標）等の非接触通信を行って、インタフェース部２３を介して情報の送受を行う。無線通信部２３が無線通信に用いる方式や周波数帯域は特に制限されるものではなく、例えばＮＦＣの場合は13.56MHzの帯域でISO14443に準拠した無線方式で無線通信を行い、Bluetoothの場合は規格で定めた周波数（例えば２．４ＧＨｚ）で無線通信を行う。上述した記憶部２１に記憶された各種情報は、無線通信部２３を介してホストコンピュータに送信される。これにより、所定の期間にわたって、患者の状態がどのように変化したかを時系列的にきめ細かくホストコンピュータ側で一元的に管理でき、特定の病気に罹った患者の治療に役立てることができる。
【００５４】
無線通信の方式としてＮＦＣを採用する場合、規格上電力の送受もできるため、電池なしで薄型モジュール部品１０を駆動することも原理的には可能である。ただし、薄型モジュール部品１０にスピーカ１５も設ける場合には、電力の消費量が比較的大きいため、ボタン電池１４を搭載するのが望ましい。
【００５５】
ボタン電池１４を搭載する以上、長期間使用すると、バッテリ切れを起こすが、本実施形態に係る治療経過記録カード１は、シート材を採用してある程度の耐久性と防水性は持たせているものの、電池を交換可能な構造は採用していないため、バッテリ切れを起こしたら、治療経過記録カード１自体を交換することを前提として、構造を簡略化している。
【００５６】
図５は治療経過記録カードの材料であるシート材３０を展開した状態を示す図である。図５のシート材３０には、横方向の中央部に縦方向に延びる折り目３１がつけられており、この折り目３１で折り畳まれて２層構造とされる。図５の左側半分の面は回路パターン面３２であり、右側半分の面は接点導通面３３である。回路パターン面３２の裏側の面は図２に示した情報入力面２である。なお、接点導通面３３の裏面側を情報入力面２にしてもよい。
【００５７】
回路パターン面３２には、各選択ボタンの位置に合わせて２つずつ設けられる複数の接点３４と、これら接点３４に接続される導通パターン３５とが導電インキで印刷されており、この他、回路パターン面３２には図３に示した薄型モジュール部品１０が実装されている。この薄型モジュール部品１０の端子は導電パターン３５に電気的に接続されている。また、回路パターン面３２には、図２で示した発光部Ｌ１〜Ｌ４が実装されている。発光部Ｌ１〜Ｌ４は、例えばチップ状のＬＥＤである。ＬＥＤの電源は、薄型モジュール部品１０内のバッテリから供給される。このため、ＬＥＤの端子は、導電パターン３５を介して薄型モジュール部品１０と接続されている。
【００５８】
接点導通面３３には、各選択ボタンに対応する２つの接点３４同士を導通することが可能な接点導通部３６が選択ボタンの数だけ設けられている。これら接点導通部３６も導電インキで印刷されている。接点導通部３６は、対応する選択ボタンの略中央部に設けられている。
【００５９】
発光部Ｌ１〜Ｌ４の発光制御は、薄型モジュール部品１０内のＡＳＩＣ１２が行う。より詳細には、ＡＳＩＣ１２内の制御部２２が行う。
【００６０】
なお、図５の回路パターン面３２の各部品および導通パターン３５の配置は一例であり、任意に変更して構わない。まあ、薄型モジュール部品１０は、複数のモジュール部品で構成されてもよいし、薄型モジュール部品１０内の少なくとも一部の部品を個別に回路パターン面３２に実装してもよい。
【００６１】
図６は制御部２２が行う発光制御処理の一例を示すフローチャートである。まず、患者がスタートボタン３を押下したか否かを判定し（ステップＳ１）、スタートボタン３が押下されると、発光部Ｌ１を所定時間点灯する（ステップＳ２）。
【００６２】
ステップＳ２に並行して、患者に基本項目に関する各選択ボタンの選択押下を促すために、発光部Ｌ２を所定時間点灯する（ステップＳ３）。
【００６３】
発光部Ｌ２の点灯を開始してから所定時間内に、患者が基本項目に関する各選択ボタンの選択押下を完了したか否かを判定し（ステップＳ４）、完了した場合には、患者に症状に関する各選択ボタンの選択押下を促すために、発光部Ｌ３を所定時間点灯する（ステップＳ５）。
【００６４】
発光部Ｌ３の点灯を開始してから所定時間内に、患者が症状に関する各選択ボタンの選択押下を完了したか否かを判定し（ステップＳ６）、完了した場合には、患者に検査値に関するいずれかの選択ボタンの選択押下を促すために、発光部Ｌ４を所定時間点灯する（ステップＳ７）。
【００６５】
発光部Ｌ４の点灯を開始してから所定時間内に、患者が検査値に関するいずれかの選択ボタンの選択押下を完了したか否かを判定し（ステップＳ８）、完了した場合は、処理を終了する。
【００６６】
一方、ステップＳ４、Ｓ６またはＳ８の判定が否定された場合は、患者がそれまでに押下した選択ボタンの押下情報を記憶部２１に記憶するとともに、判定が否定されたことを患者に報知してもよい。具体的には、例えば、スピーカから警告音を出力するか、あるいは機械音声で、判定が否定された項目の選択ボタンの選択押下をやり直すよう促す等の所定の警告処理を行ってもよい（ステップＳ９）。
【００６７】
また、図６の処理の最中に、患者が取消ボタン４を押下した場合は、上述したように、制御部２２は、その直前のボタン操作を取り消す処理を行い、それに応じて、場合によっては、点灯させる発光部も切り替える。
【００６８】
このように、第１の実施形態では、すべての選択ボタンを機能別に複数の選択ボタン群に分類して、各選択ボタン群ごとに発光部を設けて、使用者が複数の選択ボタンを選択押下する順に、順に発光部を発光させるため、使用者は次に選択押下すべき選択ボタンを把握しやすくなり、選択ボタンの押し間違いをなくすことができる。また、必要に応じて、使用者が選択ボタンを正しく押下したことを音声や発光で報知するため、選択ボタンを正しく押下したかどうかを使用者は把握できるようになる。
【００６９】
（第２の実施形態）
上述した第１の実施形態では、選択ボタン群ごとに発光部を設ける例を説明したが、以下に説明する第２の実施形態は、各選択ボタンごとに発光部を設けるものである。
【００７０】
図７は第２の実施形態に係る情報入力面２を示す図である。図７の情報入力面２には、図２の情報入力面２に設けられていた発光部Ｌ１〜Ｌ４に加えて、すべての選択ボタンに対応づけて発光部が設けられている。
【００７１】
各発光部は、対応する選択ボタンが押下されて、その押下情報が記憶部に記憶されたときに、所定時間点灯する。これにより、患者は、自分が押下した選択ボタンの押下情報が正しく記録されたか否かを視覚的に把握できるようになり、選択ボタンを正しく押下したかどうかについての患者の不安を解消することができる。
【００７２】
上述したように、図１の治療経過記録カードは、薄いシート部材を二重に折り重ねて作製されたものであり、選択ボタンのクリック感はほとんど得られない。よって、ビープ音等の補助的な手段を設けなければ、選択ボタンが押下されたか否かを認識させることは難しい。
【００７３】
本実施形態では、選択ボタンを正しく押下した場合のみ発光部が点灯するため、ピープ音を鳴らす必要はない。また、本実施形態によれば、聴覚障害者であっても、選択ボタンを正しく押下したか否かを判断できる。
【００７４】
図７では、すべての選択ボタンに対応づけて発光部を設けたが、一部の選択ボタンのみに対して発光部を設けてもよい。例えば、項目１や検査値のように、一つの入力項目に複数の選択ボタンが設けられている場合は、個々の選択ボタンには発光部を設けずに、一つの入力項目に１個の発光部を設けてもよい。
【００７５】
上述した第１および第２の実施形態において、複数の発光部の発光色を必要に応じて変えてもよい。例えば、基本項目に対応する発光部Ｌ２の発光色と、症状に対応する発光部Ｌ３の発光色と、検査値に対応する発光部Ｌ４の発光色とをそれぞれ相違させてもよい。これにより、次に選択押下すべき選択ボタン群を発光色によって患者に報知でき、患者の操作ミスをより防止できる。
【００７６】
また、発光部Ｌ１〜Ｌ４の発光色と、各選択ボタンに対応づけた発光部Ｌ５〜Ｌ１７の発光色とをそれぞれ相違させてもよい。これにより、実際に選択押下を行うべき選択ボタンの種類と数を患者にわかりやすく示すことができる。
【００７７】
さらに、発光色を変える代わりに、点灯や点滅など、発光のさせ方を相違させることで、患者が次に選択押下すべき選択ボタンと患者が選択押下した選択ボタンとを、患者に報知してもよい。
【００７８】
（第３の実施形態）
上述した第１および第２の実施形態は、情報入力面２に複数の発光部を設けて、入力案内を行う例を説明したが、発光部の発光形態を変えても重度の視覚障害者には効果がない。そこで、以下に説明する第３の実施形態では、主に視覚障害者に対する入力案内を行うものである。
【００７９】
図８は第３の実施形態に係る情報入力面２を示す図である。図８の情報入力面２には、記載されたすべての文字に対応づけて点字が付されている。また、各選択ボタンの外径線は面に対して盛り上がるような罫処理がなされており、これにより、視覚障害者は、情報入力面２をなぞった指の手触りにより、各選択ボタンの種類と押下すべき場所とを正確に把握できる。
【００８０】
また、本実施形態では、患者がスタートボタン３を押下すると、薄型モジュール部品１０に内蔵されたスピーカにより、機械音声による入力案内を行う。より具体的には、スタートボタン３を押下した直後に、次は基本項目に関する各選択ボタンの押下を行うよう機械音声による入力案内を行う。基本項目に関する選択押下が完了すると、次に、症状に関する各選択ボタンの押下を行うよう機械音声による入力案内を行う。症状に関する選択押下が完了すると、次に、検査値に関するいずれかの選択ボタンの押下を行うよう機械音声による入力案内を行う。
【００８１】
また、患者が選択ボタンを押下したときに、その押下情報が記憶部２１に記憶された場合は、その選択ボタンの押下が受け入れられたことを機械音声かビープ音等の音声で報知してもよい。
【００８２】
このように、第３の実施形態は、情報入力面２に印字された文字等に対応する点字を設け、かつ機械音声による入力案内を行うため、視覚障害者であっても、各選択ボタンの選択押下を的確に行うことができる。
【００８３】
（第４の実施形態）
視覚障害者や聴覚障害者等の障害者別に別個の治療経過記録カードを用意するのは、コストがかかるので望ましくない。そこで、以下に説明する第４の実施形態は、第２の実施形態と第３の実施形態で説明した機能を組み合わせた治療経過記録カードを設けるものである。
【００８４】
図９は第４の実施形態に係る情報入力面２を示す図である。図９の情報入力面２には、図７の情報入力面２と同様に、すべての選択ボタンに対応づけて発光部Ｌ１〜Ｌ１７が設けられ、かつ図８と同様に、記載されたすべての文字に対応づけて点字が付されている。
【００８５】
患者がスタートボタン３を押下すると、発光部Ｌ１が所定時間点灯するとともに、次に患者が選択押下すべき基本項目に対応した発光部Ｌ２が最大所定時間点灯するとともに、基本項目に関する各選択ボタンの押下を行うよう機械音声による入力案内を行う。基本項目に関する選択押下が完了すると、次に、症状に対応した発光部Ｌ３が最大所定時間点灯するとともに、症状に関する各選択ボタンの押下を行うよう機械音声による入力案内を行う。症状に関する選択押下が完了すると、次に、検査値に対応する発光部Ｌ４が最大所定時間点灯するとともに、検査値に関するいずれかの選択ボタンの押下を行うよう機械音声による入力案内を行う。
【００８６】
このように、第４の実施形態では、発光部Ｌ１〜Ｌ１７と機械音声の両方による入力案内および入力確認を並行して行うため、視覚や聴覚がともに若干衰えている高齢者であっても、操作ミスを軽減することができる。また、二通りの入力案内と入力確認を行うことで、うっかりミスも防止できる。
【００８７】
なお、図２の情報入力面２に点字を付すようにしてもよい。
【００８８】
第１および第２の実施形態に係る情報収集装置は、種々の病気の治療に適用可能である。また、その用途も、必ずしも医療目的でなくてもなく、アンケート収集など、何らかの情報を記録して、記録した情報を無線通信でホストコンピュータに送信可能なものであれば、どのような用途に用いてもよい。
【００８９】
本実施形態に係る情報収集装置の組立構造は、図１〜図６に示したものに限定されない。また、通信モジュール１０は、必ずしも電池駆動型でなくてもよく、ＮＦＣで受信した電力を蓄積して、その蓄積電力で無線通信を行うバッテリレスにしてもよい。
【００９０】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【００９１】
１  治療経過記録カード、２  情報入力面、２ａ  第１入力面、２ｂ  第２入力面、２ｃ  第３入力面、３  スタートボタン、４  取り消しボタン、５ａ〜５ｆ、６ａ〜６ｇ  選択ボタン、１０  通信モジュール、１１  フィルム基板、１２  ＡＳＩＣ、１３  水晶振動子、１４  ボタン電池、１５  スピーカ、１６  端子、１７  アンテナパターン、２１  記憶部、２２  制御部、２３  無線通信部、３０  樹脂シート材、３０ａ，３０ｂ  樹脂層、３１，３２，３３ａ〜３３ｈ，３４ａ〜３４ｌ  接点、３８  接点導通部、５１  空気分散部、５１ａ  孔、５１ｂ  ボタン操作面、５１ｃ  段部、５２  非シール部
【図１】
2014229277.tif 000003
【図２】
2014229277.tif 000004
【図３】
2014229277.tif 000005
【図４】
2014229277.tif 000006
【図５】
2014229277.tif 000007
【図６】
2014229277.tif 000008
【図７】
2014229277.tif 000009
【図８】
2014229277.tif 000010
【図９】
2014229277.tif 000011